(57)【要約】【課題】操作性が高く洗浄浄化のために新たな水を必要としない廃水貯槽の洗浄浄化装置を提供する。【解決手段】本廃水貯槽洗浄浄化装置１は、廃水を貯留し、被洗浄物２５が付着又は堆積している廃水貯槽を洗浄浄化する廃水貯槽洗浄浄化装置であって、真空状態を形成可能な真空発生手段９、該真空発生手段により真空状態を形成し該廃水貯槽から吸引する廃水を貯留する貯槽８、及び該貯槽に装着され液位を検出する液位検出器１３を備える真空吸引装置２と、該真空吸引装置２が吸引し貯槽に貯留する廃水を圧送するポンプ３と、該真空吸引装置の貯槽に装着された液位検出器１３の出力に基づき、該真空発生手段及び該ポンプの動作を制御する制御装置５と、を含む。【選択図】図１
2006150213.tif 000002
【特許請求の範囲】
【請求項１】
廃水を貯留し、被洗浄物が付着又は堆積している廃水貯槽を洗浄浄化する廃水貯槽洗浄浄化装置であって、
真空状態を形成可能な真空発生手段、該真空発生手段により真空状態を形成し該廃水貯槽から吸引する廃水を貯留する貯槽、及び該貯槽に装着され液位を検出する液位検出器を備える真空吸引装置と、
該真空吸引装置が吸引し貯槽に貯留する廃水を圧送するポンプと、
該真空吸引装置の貯槽に装着された液位検出器の出力に基づき、該真空発生手段及び該ポンプの動作を制御する制御装置と、
を含むことを特徴とする廃水貯槽洗浄浄化装置。
【請求項２】
前記ポンプは、前記廃水貯槽に付着又は堆積している前記被洗浄物を剥離可能な流速及び流量を形成可能なポンプであることを特徴とする請求項１に記載の廃水貯槽洗浄浄化装置。
【請求項３】
前記廃水は固形分を含み、前記真空吸引装置の貯槽は、内部に固形分を除去可能な固形分除去手段を有することを特徴とする請求項１または２に記載の廃水貯槽洗浄浄化装置。
【請求項４】
さらに前記固形分除去手段で回収除去できない固形分を回収可能な固形分回収装置を具備することを特徴とする請求項１から３のいずれか１に記載の廃水貯槽洗浄浄化装置。
【請求項５】
さらに可搬可能で小型な台車を含み、
前記真空吸引装置と前記ポンプと前記制御装置、又は前記真空吸引装置と前記ポンプと前記制御装置と前記固形分回収装置とを、前記台車に装着し、可搬式としたことを特徴とする請求項１から４のいずれか１に記載の廃水貯槽洗浄浄化装置。
【発明の詳細な説明】
【技術分野】
【０００１】
本発明は、被洗浄物が付着又は堆積している廃水貯槽を洗浄浄化するための洗浄浄化装置である。
【背景技術】
【０００２】
飲食店や弁当などを製造する食品加工工場から排出される厨房排水には油分（油脂分）が多く含まれ、これら排水を河川に流すと河川を汚染するため、飲食店など厨房設備を備えた場所には、油脂分を除去するためのグリーストラップの設置が義務付けられている。このほか油分を含む排水を貯留する貯槽には、エレベータピット、機械油などを含む排水を処理するための排水処理設備における排水貯槽などがある。
【０００３】
グリーストラップを含め油分を含む廃水又は排水を貯留する貯槽においては、時間経過とともに貯槽に油分が蓄積されるのでこれを除去する必要が生じる。これら廃水に伴って流入する油分を連続的に処理する技術としては、加圧浮上法、微生物処理法などある。微生物処理法に関しては、例えば油脂分の分解を促進するために、界面活性剤を添加し油脂物質をミクロン単位で微細化させた後、油脂分解微生物で油脂を分解させる技術が開示されている（例えば特許文献１参照）。
【０００４】
このほかグリーストラップ内に残留する油分を除去するために、鹸化剤と乳化・洗浄剤とからなる油分石鹸処理剤を、油性分と化学反応させ油性分を分解させる技術も開示されている（例えば特許文献２参照）。
【０００５】
廃水に伴って流入する油分を連続的に完全に処理することが可能であれば、廃水貯槽に油分が蓄積することはないが、運転管理などの問題から油分などを完全に分解させることは容易ではない。また、廃水貯槽の廃水の水位よりも高い位置の壁面に付着した油分は分解除去させることができないので、現実的には廃水貯槽を定期的に保守、点検し、蓄積した油分の回収除去及び廃水貯槽の壁面に付着した油分などの洗浄浄化を行っている。蓄積した油分の回収除去は、バキュームカーなどで貯槽内の油分を含む廃水を汲み出す方法が一般的である。廃水貯槽の壁面に付着又は堆積した油分などの洗浄浄化は、水道水又は工業用水と洗浄剤などを用いて行っている。
【特許文献１】特開２００３−３３７７８号公報
【特許文献２】特開平１０−１１０１８８号公報
【発明の開示】
【発明が解決しようとする課題】
【０００６】
一般にグリーストラップを始め廃水貯槽に貯留した油分は、粘性が高く、また廃水中に食物残渣などの固形分を含み、油分とこれらが混ざった状態で存在するなど取扱いが非常に難しい。バキュームカーで油分を含む廃水を汲み出す場合であっても、吸引ホースにこれら油分が付着し、吸引ホースあるいはこれら周辺を汚すことが多いのは周知のところである。
【０００７】
また壁面や周囲に付着又は堆積した油分を、分解あるいは洗浄浄化させるため用いる水道水又は工業用水と洗浄剤は、最終的には廃水となり、処理すべき廃水が多くなる。廃水貯槽の洗浄浄化作業において、新たな廃水を生じさせないことが望ましいことは言うまでもない。これらについては、油分が付着する廃水貯槽のみならず、汚泥が付着あるいは堆積している廃水貯槽でも同様である。
【０００８】
さらにグリーストラップの周囲には洗浄浄化に必要な機器、装置を設置する十分なスペースもないことが多いことから、グリーストラップを始め廃水貯槽の洗浄浄化に使用する機器、装置も可搬式でコンパクトな装置であることが望ましい。
【０００９】
本発明の目的は、操作性が高く洗浄浄化のために新たな水を必要としない廃水貯槽の洗浄浄化装置を提供することにある。
【課題を解決するための手段】
【００１０】
本発明は、廃水を貯留し、被洗浄物が付着又は堆積している廃水貯槽を洗浄浄化する廃水貯槽洗浄浄化装置であって、
真空状態を形成可能な真空発生手段、該真空発生手段により真空状態を形成し該廃水貯槽から吸引する廃水を貯留する貯槽、及び該貯槽に装着され液位を検出する液位検出器を備える真空吸引装置と、
該真空吸引装置が吸引し貯槽に貯留する廃水を圧送するポンプと、
該真空吸引装置の貯槽に装着された液位検出器の出力に基づき、該真空発生手段及び該ポンプの動作を制御する制御装置と、
を含むことを特徴とする廃水貯槽洗浄浄化装置である。
【００１１】
また本発明で、前記ポンプは、前記廃水貯槽に付着又は堆積している前記被洗浄物を剥離可能な流速及び流量を形成可能なポンプであることを特徴とする請求項１に記載の廃水貯槽洗浄浄化装置である。
【００１２】
また本発明は、前記廃水は固形分を含み、前記真空吸引装置の貯槽は、内部に固形分を除去可能な固形分除去手段を有することを特徴とする請求項１または２に記載の廃水貯槽洗浄浄化装置である。
【００１３】
また本発明は、さらに前記固形分除去手段で回収除去できない固形分を回収可能な固形分回収装置を具備することを特徴とする請求項１から３のいずれか１に記載の廃水貯槽洗浄浄化装置である。
【００１４】
また本発明は、さらに可搬可能で小型な台車を含み、
前記真空吸引装置と前記ポンプと前記制御装置、又は前記真空吸引装置と前記ポンプと前記制御装置と前記固形分回収装置とを、前記台車に装着し、可搬式としたことを特徴とする請求項１から４のいずれか１に記載の廃水貯槽洗浄浄化装置である。
【発明の効果】
【００１５】
本発明の廃水貯槽洗浄浄化装置は、真空状態を形成可能な真空発生手段、真空発生手段により真空状態を形成し廃水貯槽から吸引する廃水を貯留する貯槽、及び貯槽に装着された液位検出器を備える真空吸引装置と、真空吸引装置が吸引し貯槽に貯留する廃水を圧送するポンプと、を備えるので、ポンプの吐出水を被洗浄物に吹きかけ廃水貯槽を洗浄することができる。これにより洗浄のための新たな水を必要とすることがない。新たな洗浄用の水を必要としないので、新たに廃水を生じることがない。
【００１６】
また、廃水の吸引と、吸引した廃水の圧送を別々の装置に行わせるので、廃水の吸引能力及び廃水の圧送性能に優れ、廃水貯槽の被洗浄物の洗浄を容易に行うことができる。また、このような構成の下、廃水を吸い上げるための管体及び圧送するための管体を長くすることで、廃水貯槽洗浄浄化装置の設置場所の自由度が高まる。これにより洗浄浄化操作も容易となり、さらに本装置のメンテナンスも容易に行うことができる。また、本廃水貯槽洗浄浄化装置は、真空吸引装置の貯槽に装着する液位検出器の出力に基づき、真空発生手段及びポンプの動作を制御する制御装置を含むので、真空吸引装置とポンプとを交互に稼動させることで、半連続的に洗浄浄化を行うことができる。
【００１７】
また本発明によれば、本廃水貯槽洗浄浄化装置は、廃水貯槽に付着又は堆積する被洗浄物を剥離する流速及び流量を形成可能なポンプであるので、ポンプの吐出水を用いて廃水貯槽に付着又は堆積する被洗浄物を洗い流し、又は剥離させることで廃水貯槽を洗浄することができる。このため洗浄のための装置、機器などを別途必要とせず、簡単に廃水貯槽の洗浄を行うことができる。
【００１８】
また本発明によれば、廃水は固形分を含み、真空吸引装置の貯槽は、内部に固形分を除去可能な固形分除去手段を有するので、固形分を含む廃水を取り扱うことができる。また真空吸引装置は固形分除去手段を備え、廃水中の固形分はここで回収除去されるので、ポンプに固形分が閉塞することがなく、安定的に送水を行うことができる。
【００１９】
また、本発明によれば、本廃水貯槽洗浄浄化装置は、さらに固形分除去手段で回収除去できない固形分を回収可能な固形分回収装置を具備するので、凝集物など小さな固形分も回収することができる。これにより幅広い廃水に対応することができる。
【００２０】
また、本発明によれば、本廃水貯槽洗浄浄化装置は、さらに可搬可能で小型な台車を含み、真空吸引装置とポンプと制御装置、又は真空吸引装置とポンプと制御装置と固形分回収装置を可搬式の台車に装着し、可搬式とするので、多くの現場で使用することが可能となり効率的である。特に、本廃水貯槽洗浄浄化装置を常設する十分なスペースがない場所では有用である。また、本廃水貯槽洗浄浄化装置は、台車を有するので、移動を容易に行うことができる。
【発明を実施するための最良の形態】
【００２１】
図１は、本発明の実施の一形態としての廃水貯槽洗浄浄化装置１の概略的構成を示す正面図である。また図２は、本発明の実施の一形態としての廃水貯槽洗浄浄化装置１の概略的構成を示す側面図である。廃水貯槽洗浄浄化装置１は、廃水を吸引するための真空吸引装置２、真空吸引装置２が吸い上げた廃水を圧送するポンプ３、ポンプ吐出部に装着され小さな固形分を回収する遠心分離機４、これら装置の動作を制御する制御装置５、廃水貯槽洗浄浄化装置１の起動停止を行う操作パネル６、及び前記装置、機器などを支持する台車７を主な構成とする。
【００２２】
真空吸引装置２は、吸引する廃水を貯留する貯槽８と、廃水を吸引するために貯槽内８を真空（減圧）状態とする真空発生手段である真空発生装置９を備える。貯槽８は、後述するように半連続的にポンプ３に廃水を供給する役目を果たすので、容積が大きいことが望ましいが、廃水貯槽洗浄浄化装置１を可搬タイプとするような場合は、この点を考慮して決定することが必要である。また、貯槽８は廃水を吸引する際に減圧となるので、これに耐え得る仕様であることが必要となる。
【００２３】
真空発生装置９は、貯槽８の上部に位置し、貯槽８に着脱可能に装着される。貯槽８は内部に吸引する廃水に含まれる固形分、例えば食物残渣を回収除去するフィルタ１０を備える。固形分除去手段であるフィルタ１０は、貯槽８に着脱可能に装着される。これにより吸引管１１を通じて吸い上げられた廃水中の固形分は、フィルタ１０で回収除去される。固形分が除去された廃水は、排出管１２を通じてポンプ３に送られる。
【００２４】
上記のように、貯槽８と真空発生装置９、貯槽８とフィルタ１０を着脱可能な構成とすることで、フィルタ１０で回収除去されフィルタ１０内に堆積した固形分を容易に回収することができる。フィルタ１０は、後流側のポンプ３保護も目的としているので、これらの点も考慮し、固形分の大きさから目開きの大きさを適宜決定すればよく、一段のみならず２段、あるいは多段としてもよい。フィルタ１０の目開きの大きさを順次小さくすることで、効率的に固形分を回収除去することができる。なお、廃水中に固形分がない場合や、微細な固形分であって回収除去する必要がないような場合は、本固形分除去手段を設ける必要がないことは当然である。
【００２５】
貯槽８は液位検出器１３を具備する。液位検出器１３は、貯槽８に貯留する液位を２点、上位液位と下位液位とを検出可能であれば特に種類は問わない。ここではフロートスイッチを用いた例を示した。なお、貯槽内は減圧となるので、これに耐え得る構造であることが必要なことは言うまでもない。
【００２６】
ポンプ３は、真空吸引装置２の貯槽８に貯留する廃水を、排出管１２を介して受入れ、昇圧し送水管１４から排出する。この送水管１４から排出する廃水を被洗浄物に吹きかけることで、廃水貯槽に付着又は堆積した被洗浄物を洗浄することができる。またポンプ３に、廃水貯槽に付着する被洗浄物を剥離する流速及び流量を形成可能な性能を有するポンプを使用すれば、容易に被洗浄物を洗浄浄化することができる。
【００２７】
本発明では、廃水の吸引と、吸い上げた廃水の圧送を別々の装置に担当させているので、廃水の吸い上げ能力及び廃水の圧送能力を大きくすることができる。このため真空吸引装置２の吸引管１１の長さ、又はポンプ３の送水管１４の長さを長くすることが可能となる。これにより本廃水貯槽洗浄浄化装置１の設置場所の自由度が高まり、機動的に洗浄浄化を行うことができるとともに、廃水貯槽洗浄浄化装置１の保守も容易に行うことができる。さらにポンプの選択肢も広がりポンプの選定が容易となる。また、ポンプ３に供給される廃水は、事前に固形分が取り除かれているので、ポンプに固形分が閉塞し運転が停止したり、流量低下が発生することがない。
【００２８】
真空吸引装置２の貯槽８内に装着する固形分除去用のフィルタ１０、及びフィルタ上に形成されたケークで回収除去することができない固形分が存在し、これらを回収する必要がある場合は、ポンプ３の吐出部に固形分回収装置４を設け、ポンプの送水管１４を通じて廃水を供給し回収する。例えば微細な凝集物などを回収する場合に用いる。固形分回収装置４の形式は、特に限定されるものではないが、ろ布を内蔵する遠心分離機を用いることができる。ポンプ３の吐出水を遠心分離機４に導くことで、吐出水に含まれる微細な固形分を容易に回収することができる。
【００２９】
真空吸引装置２、ポンプ３及び遠心分離機４は、制御装置５によって動作が制御される。真空吸引装置２は、真空発生装置９を稼動させ貯槽内を減圧とすることで、吸引管１１を通じて廃水を吸い上げる。吸い上げた廃水は、フィルタ１０で固形分が除去され、貯槽８に貯留される。貯槽８内の液位が高くなり、ポンプ３が貯槽内の廃水を吸い込み可能な状態となっても、貯槽内の圧力が減圧のままでは、ポンプ３はキャビテーションを発生し送水することができない。そこで制御装置５は、真空吸引装置２、ポンプ３の作動を制御し、半連続的に送水可能な状態を形成する。
【００３０】
図３は、本発明の廃水貯槽洗浄浄化装置１の運転を制御する制御装置５の制御要領を示すフローチャートである。ステップＳ１からステップＳ７までの判断の組合せや順序は、一例を示すだけであり、変更可能なことはもちろんである。ステップＳ１で、真空発生装置９を稼動させ、貯槽８の液位が上位の液位となるまで稼動を継続する（ステップＳ２）。貯槽８に装着する液位検出器１３が上位液位を検出すると、その信号に基づき制御装置５は、真空発生装置９の稼動を停止させる（ステップＳ３）。真空発生装置９の稼動を停止させた後、図示を省略した電磁弁を作動させ、貯槽８に外部から空気を流入させ、貯槽内の圧力を大気圧に戻す（ステップＳ４）。
【００３１】
貯槽内の圧力が大気圧に戻った後、ポンプ３を稼動させ、貯槽内の廃水を送水する（ステップＳ５）。送水は貯槽内の液位が下位液位となるまで行い（ステップＳ６）、貯槽８に装着する液位検出器１３が下位液位を検出すると、その信号に基づき制御装置５は、ポンプ２の稼動を停止させる（ステップＳ７）。ポンプ３を停止させた後、再び真空発生装置９を稼動させ貯槽に廃水を貯留する。以上の操作を繰り返すことで、半連続的に送水を行うことができる。なお、遠心分離機４を連動させて作動させる場合は、遠心分離機４に液位検出器を装着し、この液位検出器の信号を制御装置５に送り、制御装置５を介してポンプ３を稼動、停止させるようにしてもよい。
【００３２】
さらに本廃水貯槽洗浄浄化装置１は、廃水貯槽洗浄浄化装置１を起動、停止するための操作パネル６を有する。以上の装置、機器等を台車７の上に着脱可能に装着することでコンパクトな廃水貯槽洗浄浄化装置１とすることができる。廃水貯槽洗浄浄化装置１を可搬タイプとすることで、多くの現場で使用することが可能となり、効率的に使用することができる。また、装置、機器等を台車７に着脱可能に装着することで、装置、機器を取り外した状態で運搬し、現場で組立を行うことができる。これにより廃水貯槽洗浄浄化装置１の運搬が容易となる。さらに台車７は下部に車輪１５を有するので移動が容易で、本装置の設置を容易に行うことができる。
【００３３】
図４（ａ）、図４（ｂ）は、本発明の廃水貯槽洗浄浄化装置１を用いて廃水貯槽の洗浄浄化を行う場合の要領を示す図である。図４（ａ）、図４（ｂ）においては、固形分回収装置４を用いない本廃水貯槽洗浄浄化装置１の例を示す。また図４（ａ）、図４（ｂ）に示す廃水貯槽は、油分を含む廃水を貯留し、油分を含む被洗浄物が付着又は堆積したグリーストラップである。ここでは、洗浄浄化操作を容易に行うために原水流入側のグリーストラップ仕切板を取り外した場合の例を示しているが、グリーストラップ仕切板は必ずしも取り外す必要はない。
【００３４】
図４（ａ）に示すように油分を廃水に可溶化又は微細化させる油分可溶化剤２０を添加する。油分可溶化剤２０は、グリーストラップ本体２１の廃水２２に含まれる油分、及びグリーストラップの壁面などに付着する油分を含む被洗浄物を廃水２２に可溶化させる。廃水２２に含まれる油分は、廃水２２に浮遊する油分２３ａ、廃水中に存在する油分２３ｂがある。また、グリーストラップの壁面に付着する油分を含む被洗浄物には、グリーストラップの本体壁面２４に付着し、廃水２２中に位置する被洗浄物２５ａ、グリーストラップの本体壁面２４に付着し、廃水２２の液位よりも高い位置に付着する被洗浄物２５ｂがある。またグリーストラップ内部を仕切る仕切り板２６に付着し、廃水２２中に位置する被洗浄物２５ｃ、仕切板２６に付着し廃水２２の液位よりも高い位置に付着する被洗浄物２５ｄも油分を含む被洗浄物である。さらにグリーストラップ本体２１の周囲に付着した油分を含む被洗浄物２５ｅも含まれる。このほかグリーストラップの底面に堆積する油分を含む被洗浄物２５ｆも被洗浄物である。
【００３５】
ここで言う、油分２３（２３ａ、２３ｂ）及び油分を含む被洗浄物２５（２５ａ〜２５ｆ）は、油分のみからなるもの、油分と食物残渣などの固形分などから構成されるものを含む。ここではグリーストラップを対象としているので、油分は油脂が主体となるが、他の動植物油などが含まれてもよいことは言うまでもない。また、工場廃水の廃水貯槽にあっては、機械油、エンジンオイルなどが含まれるのは当然である。
【００３６】
油分を廃水に可溶化させるとは、油分２３、被洗浄物２５を乳化又はミセル化させることを言う。ここでミセル化とは、親水コロイド粒子であるミセルを形成することを言う。
油分可溶化剤２０はこれら機能を備えるものであれば特に種類は問わない。具体的には、界面活性剤を主成分とする市販の乳化剤あるいはミセル化剤を使用することができる。廃水中に油分２３、被洗浄物２５が多いような場合は、乳化した油分が壁面２４、仕切板２６などに再付着する場合があるので、油分をミセル化させることが望ましい。
【００３７】
次に撹拌装置２７で添加する油分可溶化剤２０と廃水２２とを撹拌混合し、油分２３、被洗浄物２５の廃水２２への可溶化を促進させる。グリーストラップ内の油分のうち、廃水中の油分２３ｂ、廃水に浮遊する油分２３ａ、及び壁面２４付着又は堆積する被洗浄物２５であって、廃水中に存在するものは、油分可溶化剤２０作用により廃水中に可溶化する。しかしながら、壁面２４に付着又は堆積した被洗浄物２５のうち、廃水２２に浸漬していない部分については、油分可溶化剤２０が作用しないため、強制的に被洗浄物２５ｂ、２５ｄを可溶化させるか又は剥離させる必要が生じる。グリーストラップ２１の周囲の床などに付着した被洗浄物２５ｅについても同様である。
【００３８】
そこで、図４（ｂ）に示すように、本発明の廃水貯槽洗浄浄化装置１を用いて、グリーストラップ２１内の油分を可溶化させた廃水２２を吸い上げ、これを被洗浄物２５に吹きかけることで、グリーストラップ２１を洗浄浄化することができる。廃水２２に含まれる固形分２８は、真空吸引装置２の貯槽８に装着するフィルタ１０で回収除去される。このため固形分２８がポンプ３に付着することがなく、安定的に運転を行うことができる。
【００３９】
特にポンプ３に、グリーストラップ２１の壁面２４及び仕切板２６に付着する被洗浄物２５を剥離することが可能な流速および流量を有するポンプを用いれば、容易に洗浄浄化することができる。送水管１４を、柔軟性を有する材料で形成することで、容易にポンプ吐出水を、壁面２４及び仕切板２６に付着又は堆積した被洗浄物２５に吹きかけることが可能となり、被洗浄物２５を剥離させることができる。このような構成により、機動的に洗浄浄化操作を行うことができる。
【００４０】
剥離された被洗浄物２５ｂ、２５ｄはグリーストラップ２１内の廃水２２と混合され、廃水２２に含まれる油分可溶化剤２０の作用で可溶化される。従来の方法であれば、水道水又は工業用水などの水と洗剤などを用いて壁面２４あるいは床に付着した油分２３、被洗浄物２５を洗浄浄化する必要があり、これら洗浄用の水は、すべて廃水となるのでこれらを別途処理することが必要であった。これに対して本廃水貯槽洗浄浄化装置１では、油分２３を可溶化させた廃水２２を用いて、壁面２４及び仕切板２６に付着した被洗浄物２５を洗浄浄化することができるので、新たな廃水を生じることがない。
【００４１】
また、本発明においてポンプ３は、油分２３を可溶化させた廃水２２、及び固形分２８を有する廃水であっても固形分を除去した廃水２２を取り扱うので、油分２３又は固形分２８がポンプ３本体に付着し、トラブルを発生させることもない。さらに吸引管１１にも、油分２３が付着することがないので取り扱いが容易である。
【００４２】
以上のように、油分を含有し、油分を含む被洗浄物が付着又は堆積した廃水貯槽であっても、効率的に廃水貯槽の洗浄浄化を行うことができる。上記では、油分を含む廃水を例にとり説明したけれども、本廃水貯槽洗浄浄化装置１は、汚泥が付着あるいは堆積したような廃水貯槽に利用可能なことはもちろんである。
【図面の簡単な説明】
【００４３】
【図１】本発明の実施の一形態としての廃水貯槽洗浄浄化装置１の概略的構成を示す正面図である。
【図２】本発明の実施の一形態としての廃水貯槽洗浄浄化装置１の概略的構成を示す側面図である。
【図３】本発明の廃水貯槽洗浄浄化装置１の運転を制御する制御装置５の制御要領を示すフローチャートである。
【図４】図４（ａ）、図４（ｂ）は、本発明の廃水貯槽洗浄浄化装置１を用いて廃水貯槽の洗浄浄化を行う場合の要領を示す図である。
【符号の説明】
【００４４】
１        廃水貯槽洗浄浄化装置
２        真空吸引装置
３        ポンプ
４        固形分回収装置
５        制御装置
７        台車
８        貯槽
９        真空発生装置
１０      固形分除去手段
１３      液位検出器
２２      廃水
２３      油分
２５      被洗浄物
２８      固形分
【図１】
2006150213.tif 000003
【図２】
2006150213.tif 000004
【図３】
2006150213.tif 000005
【図４】
2006150213.tif 000006